(57)【特許請求の範囲】
【請求項１】
洗濯物を収納して洗う洗濯槽と、前記洗濯槽を回転駆動する電動機と、洗濯水で溶いた洗剤を前記洗濯槽の上側から注いで洗濯槽内の洗濯物に散布する洗剤投入装置とを備え、
前記洗剤投入装置は、前記洗濯槽の上側に位置し、かつ前記洗濯槽の内側に向けられた洗剤の注口を有し、
前記注口は、横方向に延在する隙間状の注口と、前記隙間状の注口の両端位置に奥行き方向に設けられた切欠き溝による注口とを備えて構成されることを特徴とする洗濯機。
【請求項２】
洗濯物を収納して洗う洗濯槽と、前記洗濯槽を回転駆動する電動機と、洗濯水で溶いた洗剤を前記洗濯槽の上側から注いで洗濯槽内の洗濯物に散布する洗剤投入装置を備え、前記洗剤投入装置は、ケース収納枠部と、前記ケース収納枠部に出し入れ自在に収まる注水ケースと、前記洗濯槽の上側で洗濯槽の内側に向けて前記ケース収納枠部に設けられた注水ケースが出し入れされる出入口と、前記洗濯槽の上側に位置し、かつ前記洗濯槽の内側に向けられた洗剤の注口とを有する洗濯機にあって、
前記注口は、前記出入口の口縁下部に出入口の間口方向に延在する隙間状の注口と、前記隙間状の注口の両端位置に奥行き方向に設けられた切欠き溝による注口とを備えて構成されることを特徴とする洗濯機。
【請求項３】
洗濯物を収納して洗う洗濯槽と、前記洗濯槽を回転駆動する電動機と、洗濯水で溶いた洗剤を前記洗濯槽の上側から注いで洗濯槽内の洗濯物に散布する洗剤投入装置を備え、前記洗剤投入装置は、ケース収納枠部と、前記ケース収納枠部に出し入れ自在に収まる注水ケースと、前記洗濯槽の上側で洗濯槽の内側に向けて前記ケース収納枠部に設けられた注水ケースが出し入れされる出入口と、前記洗濯槽の上側に位置し、かつ前記洗濯槽の内側に向けられた洗剤の注口とを有する洗濯機にあって、
前記出入口は、口縁下部が間口方向の幅に亘って前方に突き出す庇状の注水案内部を有し、
前記注口は、前記庇状の注水案内部の上面と前記注水ケースの下部との間で前記出入口の間口方向に延在する隙間状の注口と、前記隙間状の注口の両端位置に奥行き方向に設けられた切欠き溝による注口とを備えて構成されることを特徴とする洗濯機。
【請求項４】
請求項１から３の何れかに記載された洗濯機にあって、
前記隙間状の注口は、中央が高位置に、両端が低位置になる円弧形状であることを特徴とする洗濯機。
【請求項５】
請求項１から４の何れかに記載された洗濯機にあって、
前記洗濯槽の内底に備えた攪拌翼を攪拌回転させて洗濯物を洗う洗い工程の前に洗濯槽に洗濯水を満たす洗い工程では、前段で前記洗濯槽を遠心脱水回転より低速で回しながら前記隙間状の注口から給水をする槽回転給水と、後段で前記攪拌翼を洗い工程の攪拌回転よりも低速で動かしながら前記隙間状の注口から給水をする翼回転給水をすることを特徴とする洗濯機。
【発明の詳細な説明】
【技術分野】
【０００１】
本発明は、洗濯時に清水を供給するときに溶解した洗剤液を洗濯槽内の洗濯物に散布する洗剤投入装置を備えた洗濯機に関する。
【背景技術】
【０００２】
この洗剤投入装置を備える洗濯機は、例えば、特開２００６−２５５３００号公報（特許文献１）に記載されている。
【０００３】
特許文献１に示す洗濯機はトップカバーに洗剤投入装置を備えている。洗剤投入装置は出し入れ自在の投入ケースを有し、この投入ケースに入れられた粉末洗剤は洗濯時に供給される清水で溶解されて洗濯槽内の洗濯物に散布される。
【先行技術文献】
【特許文献】
【０００４】
【特許文献１】特開２００６−２５５３００号公報
【発明の概要】
【発明が解決しようとする課題】
【０００５】
上記特許文献１に示す洗濯機では、洗濯時に供給される清水で溶解した洗剤液を乾いた洗濯物に散布する。清水で溶解した高濃度の洗剤液が部分的に散布されると、洗濯物に洗剤に含まれる蛍光剤や漂白剤により部分的に脱色されたりする不具合がある。
【０００６】
本発明は、上記の課題に鑑み、高濃度の洗剤液の散布が偏りなく洗濯物に均一で広範囲に散布できる洗剤投入装置を備えた洗濯機を提供することを目的とする。
【課題を解決するための手段】
【０００７】
本発明は、洗濯物を収納して洗う洗濯槽と、前記洗濯槽を回転駆動する電動機と、洗濯時に清水を給水して溶解した洗剤液を前記洗濯槽の上側から注いで洗濯槽内の洗濯物に散布する洗剤投入装置とを備える。そして、前記洗剤投入装置は前記洗濯槽の上側に位置し、かつ前記洗濯槽の内側に向けられた洗剤液の注口を有し、前記注口は横方向に延在する隙間状の注口と前記隙間状の注口の両端位置に奥行き方向に設けられた切欠き溝による注口とを備えて構成されることを特徴とする。
【０００８】
また、本発明は、洗濯物を収納して洗う洗濯槽と、前記洗濯槽を回転駆動する電動機と、清水で溶解した洗剤液を前記洗濯槽の上側から注いで洗濯槽内の洗濯物に散布する洗剤投入装置を備え、前記洗剤投入装置には、ケース収納枠部と、前記ケース収納枠部に出し入れ自在に収まる注水ケースと、前記洗濯槽の上側で洗濯槽の内側に向けて前記ケース収納枠部に設けられた注水ケースが出し入れされる出入口、前記洗濯槽の上側に位置し、かつ前記洗濯槽の内側に向けられた洗剤の注口ととを有する洗濯機にあって、前記注口は、前記出入口の口縁下部に出入口の間口方向に延在する隙間状の注口と、前記隙間状の注口の両端位置に奥行き方向に設けられた切欠き溝による注口とを備えて構成されることを特徴とする。
【０００９】
さらに、本発明は、洗濯物を収納して洗う洗濯槽と、前記洗濯槽を回転駆動する電動機と、清水で溶解した洗剤液を前記洗濯槽の上側から注いで洗濯槽内の洗濯物に散布する洗剤投入装置を備え、前記洗剤投入装置には、ケース収納枠部と、前記ケース収納枠部に出し入れ自在に収まる注水ケースと、前記洗濯槽の上側で洗濯槽の内側に向けて前記ケース収納枠部に設けられた注水ケースが出し入れされる出入口と、前記洗濯槽の上側に位置し、かつ前記洗濯槽の内側に向けられた洗剤の注口とを有する洗濯機にあって、前記出入口は、口縁下部が間口方向の幅に亘って前方に突き出す庇状の注水案内部を有し、前記注口は、前記庇状の注水案内部の上面と注水ケースの下部との間で前記出入口の間口方向に延在する隙間状の注口と、前記隙間状の注口の両端位置に奥行き方向に設けられた切欠き溝による注口とを備えて構成されることを特徴とする。
【発明の効果】
【００１０】
本発明によれば、溶解された高濃度の洗剤液は、横方向に延在する隙間状の注口や、出入口の間口方向に延在する隙間状の注口から扇状に拡げて広範囲にかつ均一散布される。隙間状の注口の両端位置に設けた切欠き溝は、扇状の拡がりをさらに拡大する。これにより、洗濯物に洗剤による化学的な脱色が抑えられる。
【図面の簡単な説明】
【００１１】
【図１】本発明の実施例に係るもので、洗濯機の外観斜視図である。
【図２】本発明の実施例に係るもので、注水ケースをケース収納枠部から引き出したところを上側から見た斜視図である。
【図３】本発明の実施例に係るもので、ケース収納枠部に収まった注水ケースをケース収納枠部の天板がない状態で上側から見た斜視図である。
【図４】本発明の実施例に係るもので、注水ケースとケース収納枠部を有する洗剤投入装置を断面した縦断面図である。
【図５】本発明の実施例に係るもので、ケース収納枠部を前側から見た斜視図である。
【図６】本発明の実施例に係るもので、図４のＡ部を拡大したＡ部拡大図である。
【図７】本発明の実施例に係るもので、洗剤投入装置７の注口から洗濯槽６１に注いで、洗濯槽内の洗濯物に散布する洗剤や洗濯水の流下する態様を側面から見たところを示す図である。
【図８】本発明の実施例に係るもので、洗剤投入装置７の注口から洗濯槽６１に注いで、洗濯槽内の洗濯物に散布する洗剤や洗濯水の流下する態様を真上から見たところを示す図である。
【図９】本発明の実施例に係るもので、洗濯機の制御回路を示すブロック図である。
【図１０】本発明の実施例に係るもので、洗濯機の運転工程を最初の給水から最終の排水脱水に亘って示す説明図である。
【発明を実施するための形態】
【００１２】
以下、本発明の実施形態に係わる実施例について、図を引用して説明する。
【００１３】
まず、図１に沿って洗濯機の概要を述べる。
【００１４】
図１に示す洗濯機は、外枠１に外枠１を下から支持する外枠ベース２、外枠１の上に設けられたトップカバー３、トップカバー３に開閉自在に備わる蓋４を有する。
【００１５】
洗濯槽（図示せず）は外枠１の内部に備わる。洗濯槽を収納する外槽（図示せず）は外枠１の内部にあって外枠１に吊り下げ支持される。吊り下げ支持する支持機構は、外槽内で高速回転する洗濯槽に起きるアンバランス振動を緩和する防振手段が備わる。
【００１６】
洗濯脱水モータは外槽の外底部に設けられる。脱水時には、洗濯脱水モータはクラッチの制御操作により洗濯槽を高速回転駆動する。
【００１７】
また、洗濯脱水モータは、洗濯時にはクラッチの制御操作により洗濯槽の中央底部に回転自在に備わる攪拌翼を攪拌回転する。脱水運転時には洗濯槽は一方向に回転する。洗濯時には攪拌翼は正逆の攪拌回転が繰り返される。
【００１８】
洗濯槽は底部がある筒形状をしている。筒形状の胴体部には多数の脱水穴が設けられており、脱水時に洗濯物にふくまれている水分は遠心力により脱水穴から脱水される。洗濯槽は上部にバランサーが備わる。脱水時に洗濯槽が高速回転する時に発生する振動をバランサーで緩和する。
【００１９】
図９に沿って洗濯機が自動運転する制御回路に基づいて説明する。
【００２０】
制御回路は、図１に示すトップカバー３の前側に設けたコントロールパネル５の内部に設けたコントロール基板（図示せず）に備わる。
【００２１】
制御回路は、マイコンで作られた制御ユニット部１０１、入力回路部１０２、出力駆動回路部１０３を有する。制御ユニット部１０１は、ＣＰＵ（中央制御部）１０５、タイマー１０６、メモリー１０７、出力ポート１０８、入力ポート１０９を有する。ＣＰＵ１０５は演算部１０５ａ、制御部１０５ｂを有する。メモリー１０７はＲＡＭ１０７ａとＲＯＭ１０７ｂを有する。
【００２２】
入力回路部１０２には、電源スイッチ１２１、水位センサー１２２、ＩＣホール素子１２３、蓋開閉センサー１２４、全自動選択キー１２５、マニアル設定キー１２６、布量センサー１２７が接続される各種のスイッチやセンサーの情報信号は入力回路部１０２、入力ポート１０８を通じてＣＰＵ（中央制御部）１０５に情報伝達が行われる。
【００２３】
出力駆動回路部１０３には、洗濯脱水モータであるＤＣブラシレスモータ１３１、給水電磁弁１３２、排水電磁弁１３３、蓋ロックソレノイド１３４、終了ブザー１３５が接続される。
【００２４】
これらのＤＣブラシレスモータ１３１、排水電磁弁１３５を含む各種電気機器などは制御ユニット部１０１（制御手段）の制御のもとで、出力駆動回路部１０３を通じて供給される電力で作動する。
【００２５】
給水電磁弁１３２は、開閉により、水道水からの清水供給の制御をする。水道水からの清水は、洗剤投入装置７を通じて洗濯槽に洗濯水やすすぎ水として注水される。洗濯時には、洗剤投入装置７に使用量の洗剤を投入してあり、水道水からの清水により洗剤が溶解されて洗濯槽内の洗濯物に散布される。また、すすぎ時には柔軟仕上げ剤が洗剤投入装置７の柔軟仕上げ剤投入部を経由して洗濯槽内に供給されてすすぎ水として使用される。排水電磁弁１３３は、ＣＰＵ（中央制御部）１０５の制御により開閉され、洗濯時に使用された洗濯水やすすぎ時に使用されたすすぎ水を機外へ排水する。
【００２６】
図２〜図８に沿って洗剤投入装置７、及びその関連に関して説明する。
【００２７】
洗剤投入装置７は水道水を洗濯水やすすぎ水として洗濯槽６１に注水するもので、図１に示す洗濯出し入れ口５０に設けられる。洗剤投入装置７はケース収納枠部３１と注水ケース３２を有する。注水ケース３２はケース収納枠部３１に出し入れ自在に収まる。
【００２８】
図４に示すように、洗剤投入装置７は上流側に給水部３３を有する。給水部３３はケース収納枠部３１を形成する天板３４の上側に設けられる。給水部３３の囲壁部３５は天板３４と一体に形成する。給水部３３の上板３４は囲壁部３５と別体に作り、ネジまたは止手段で固定する。上板３４を別体にすることで、ケース収納枠部３１、給水部３３の囲壁部３５、トップカバー３を一体に形成するのが容易になる。
【００２９】
給水部３３は囲壁部３５に外側に突出する導水筒３７を有する。この導水筒３７はパイプ（図示せず）を介して給水電磁弁１３２（図９に示す）に接続され、水道水を給水部３３に導く。給水部３３はスポンジ等の整流体３８を内部に備える。給水部３３に流入した水道水は整流体３８で給水時の水圧による勢いが緩和され、天板３４に設けられた複数の給水穴４５から偏りなく注水ケース３２に流れ込む。
【００３０】
注水ケース３２は、図３、図４に示すように、注水ケース３２を出し入れ方向から見て左右隣り合わせの洗剤投入室４０と仕上剤投入室４１を有する。洗剤投入室４０と仕上剤投入室４１は注水ケース３２内を前後方向に延在する仕切部４２で分けられる。
【００３１】
洗剤投入室４０の底部は左右の両端側を高く、中央を低くして洗剤４４が底部の中央に集るようにしている。洗剤投入室４０は奥側に洗剤流出口４８を有する。洗剤投入室４０の底部は前側から奥側の洗剤流出口４８に向かって下る傾きになっているので、溶けた洗剤は洗剤投入室４０内に淀むことなく洗剤流出口４８から流れ出る。また、洗剤投入室４０内には、複数の給水穴４５によって行き渡った給水が行われ、この給水で洗剤投入室４０に入っている洗剤は全体に亘って溶かされる。溶けた洗剤は給水された洗濯水と一緒に洗剤流出口４８から流れ出る。
【００３２】
洗剤投入室４０には、洗剤流出口４８側に寄りに、底部から立つ複数の流止ピン４３を有する。流止ピン４３の数は洗剤流出口４８から注水ケースの前側に行くに従い中央から両端側に向かって徐々に少なくなる。洗剤投入室４０には、洗剤４４が図４に示すように置かれる。洗剤４４は流止ピン４３と注水ケースの前側との間に置かれる。
【００３３】
洗剤４４は給水穴４５から注がれる水で溶けて洗剤流出口４８から流れ出る。溶けずに洗剤流出口４８に向かう洗剤は流止ピン４３で受け止められるので、未溶解洗剤の流出は阻止される。また、流止ピン４３の数は中央が少なく、両端側が多い分布になっているので、溶けながら流れる洗剤流は水量の多い中央に集まり、洗剤は良く溶ける。
【００３４】
仕上剤投入室４１はサイホン機構４６を有する。仕上剤投入室４１の水位が所定水位値を超えるとサイホンの原理により、サイホン機構４６から水に溶けた仕上剤がサイホン機構４６を通じて仕上剤投入室４１から排出される。
【００３５】
注水ケース３２は前側に前面パネル４９を有する。前面パネル４９は表面が平坦である。取っ手４７は前面パネル４９の表面中央に設ける。取っ手４７を掴んで注水ケース３２の出し入れをするので、前面パネル４９の表面が平坦でも注水ケース３２の出し入れは容易である。
【００３６】
洗剤投入装置７のケース収納枠部３１は、図２〜図５に示すように、トップカバー３に設けられる。トップカバー３は中央が大きく開口した洗濯物出入口５０を有する。縦置きの洗濯槽６１は洗濯物出入口５０の下方に位置する。
【００３７】
トップカバー３に設けられてケース収納枠部３１は注水ケース３２を出し入れする出入口５１を有する。出入口５１は洗濯物出入口５０の後部側に位置するように設けられており、洗濯物出入口５０を洗濯機の前方から覗くと矩形に縁取られた出入口５１が良く見え、注水ケース３２の出し入れ操作が容易である。
【００３８】
注水ケース３２がケース収納枠部３１に収まると、前面パネル４９は、図３、図４、図５、図６に示すように、トップカバー３の出入口５１の内側に嵌る。
【００３９】
図４に示すように、ケース収納枠部３１は奥側からトップカバー３の出入口５１に亘って延在する底部５３を有する。底部５３は出入口５１に向かって下る傾斜になっており、出入口５１に近い途中で落ち込む段部５４を有する。そして、底部５３は段部５４の下端から出入口５１に向かって延びている庇状の注水案内部５５を有する。この庇状の注水案内部５５も出入口５１に向かって下る傾斜になっている。傾斜の角度は５°程度である。底部５３は全体に亘り出入口５１側に下る傾斜になっているので、洗剤流出口４８、サイホン機構４６から流れ出る洗剤、仕上げ剤、洗濯水、すすぎ水は出入口５１に向かって良く流れる。
【００４０】
洗剤投入室４０の底部の外底面やケース収納枠部３１の底部５３で出来る隙間５６は、図４に示すように、出入口５１に向かって広がる形状になる。ケース収納枠部３１の前側には、段部５４、庇状の注水案内部５５、前面パネル４９で囲われる注水堰５７が形成される。この注水堰５７に洗剤を含んだ洗濯水や、仕上げ剤を含んだすすぎ水は、一次的に貯まり、間隙５８から流出して洗濯槽６１に注がれる。
【００４１】
注水堰５７の大きさは、次のとおりである。
【００４２】
注水堰５７は、出入口５１の間口幅Ｗが１３０ｍｍ、段部５４の丈Ｈ３（間口幅Ｗの中間で丈が最小のところ）が１０〜２０ｍｍ、段部５４から前面パネル４９までの奥行き長さＬ１が１５ｍｍ程度の容積になる大きさである。
【００４３】
また、間隙５８は、前面パネル４９の下端と庇状の注水案内部５５との間にできる隙間で間隔Ｔ１は１〜５ｍｍ程度である。この隙間を形成する庇状の注水案内部５５は、前面パネル４９の表面より洗濯槽６１の内側に向かって突き出るように延びている。突き出し長さＬ２は１〜３ｍｍである。
【００４４】
この間隙５８とは逆に、前面パネル４９の下端を除く前面パネル４９の上端、および両側端には、図２に示す口縁枠５２との間にほとんど間隙がなく、注水ケース３２の出し入れが損なわれない程度の小さいギャップになっている。
【００４５】
さらに間隙５８は、図２、図３、図５に示すように、円弧形状をしている。間隙５８が円弧形状になるのは、注水案内部５５と前面パネル４９の形状に依存する。庇状の注水案内部５５は半径が１００〜１５０ｍｍの円弧形状で、中央が高位置に、両端が低位置になる構成になっている。前面パネル４９の下端は、同じように、円弧形状で、中央が高位置に、両端が低位置になる構成になっている。
【００４６】
注水案内部５５と前面パネル４９で形成される間隙５８は、図５に示す出入口５１の間口幅Ｗに亘って同じ寸法間隔（１〜５ｍｍ）に保たれている。切欠き溝５９は隙間５６の両端位置に設けられる。出入口５１の口縁枠５２を切り欠いて形成した切欠き溝５９は、口縁枠５２の両側下部コーナで注水案内部５５の上面側に位置する。
【００４７】
この切欠き溝５９により、洗濯槽６１内への注水は幅を広げた注水になる。間隙５８を除く前面パネル４９の回りに存在する小さなギャップからの漏水は少なく、洗濯槽６１に注がれる大部分の注水は間隙５８から行われる。
【００４８】
間隙５８からの注水は、図８に示すように、上から見えると扇状に拡がって洗濯槽６１内の洗濯物に散布される。間隙５８の両端には切欠き溝５９があるので、注水は扇状の拡がりが更に拡大して洗濯槽６１内の広範囲に散布される。
この洗濯物への散布について、図１、図７、図８、図９に沿い、更に詳しく説明する。
【００４９】
注水が行われる間隙５８を備える洗剤投入装置７は、洗濯槽６１の上側に位置する。洗濯槽６１は貯水槽となる外槽６２の内側に回転自在に内置され、遠心脱水に際しては高速で回転する。流体バランサー６３が洗濯槽６１の上側周囲に設けられ、遠心脱水の高速回転で発生するアンバランス振動は、流体バランサー６３で緩和される。
【００５０】
槽上カバー６４は洗濯槽６１および流体バランサー６３を上から覆うように、外槽６２の上側内周に設けられ、洗濯物が外槽６２と洗濯槽６１の隙間に入らないようにしている。攪拌翼６５は洗濯槽６１の内底中央に回転自在に設けられる。洗濯やすすぎに際しては、電動機の駆動で攪拌翼６５は正逆の攪拌回転が繰り返される。遠心脱水の高速回転では、攪拌翼６５は洗濯槽６１と一緒に回転する。
【００５１】
さて、洗剤投入装置７の間隙５８から吐出する注水（イ）は、図１に示すように、拡がった状態で洗濯槽６１内の洗濯物に散布される。図７は散布される注水（イ）の流下する態様を側面から見たところを示している。図８は散布される注水（イ）の流下する態様を真上から見たところを示している。
【００５２】
このように注水は扇状の拡がりになるので、背景技術で述べた部分的に偏る場合に比べ広範囲な散布になる。これにより、溶解された高濃度洗剤が洗濯物６６に広範囲に散布され、部分的に片寄った注水にならない。このため、洗濯物の洗い斑が生じたり、洗剤成分がすすぎきれず洗濯物に残存したり、あるいは洗剤の種類によっては洗剤焼けを起こす不具合が解消される。
【００５３】
また、この扇状の拡がりになる広範囲の散布は扇の中央では洗濯槽６１の中央域まで達する遠方への飛散になっている。これに対し、扇の中央から両端に移ると散布は近いところに後退する。これは扇の吐出流（散布）を生成する間隙５８が円弧形状で、中央が高位置に、両端が低位置にした構成による。この散布は球面状になるので見た目に良く、広く拡散した洗濯水の散布になるので洗濯物から跳ねる飛散水も少なく抑えられる。
【００５４】
図９、図１０に沿い、洗濯機の洗い工程から最終脱水工程に亘るフローについて説明する。
【００５５】
洗濯は、給水工程、洗い工程、すすぎ１工程、すすぎ２工程、最終排水工程と推移して終了する。
【００５６】
電源スイッチ１２１を入れ、スタートボタンを押すと、回転する攪拌翼６５で洗濯物６６の抵抗が検知される。この抵抗は洗濯物６６の量に比例し、布量センサー１２７により洗濯量が算定される。
【００５７】
また、洗濯量に応じた洗剤量が算定され、図３、図４に示す洗剤投入室４０には、算定された量の洗剤４４を投入する。また、洗濯量に応じて洗濯水量が算定され、給水電磁弁１３２が開放作動して水道水が洗濯水として算定量供給される。
【００５８】
水道水は洗剤投入装置７を経て洗濯槽６１に供給される。洗剤投入装置７にある洗剤が溶かれ洗濯槽６１に供給される。この給水工程では途中まで洗濯槽６１を回しながら給水をする槽回転給水をする。その後、攪拌翼６５を回しながら給水する翼回転給水をする。
【００５９】
先に布量センサー１２７で検知した洗濯物６６の量に応じたい水量の洗濯水が洗濯槽６１内に供給される。水位センサー１２２の検知水量が予め算定した洗濯水量に達すると、給水電磁弁１３２が閉成作動して給水が完了する。
【００６０】
洗い工程に移って洗濯物６６の洗いが行われる。ＤＣブラシレスモータ１３１である洗濯脱水モータが正逆転して洗濯が行われる。この洗い工程では洗濯槽６１を止めたままで攪拌翼６５だけが正逆転し、洗濯物６６を攪拌して洗濯が行われる。
【００６１】
洗い工程を終えると、すすぎ１工程に移行する。すすぎ１工程では、まず排水脱水をする。排水脱水は排水電磁弁１３３を開放作動して洗濯槽６１の洗濯水を抜いたら洗濯脱水モータの一方向の脱水回転で洗濯槽６１を回す。この脱水回転では９００〜１３００ＲＰＭ程度の高速で洗濯槽６１を回す。洗濯物６６に含まれる水分は遠心脱水されて排水脱水が行われる。
【００６２】
排水脱水を終えると、脱水すすぎ２工程に移行する。すすぎ２工程では、すすぎ１工程と同様な脱水すすぎが行われる。
【００６３】
すすぎ２工程での脱水すすぎを終えたら最終脱水工程に移行する。最終脱水工程ではすすぎ１工程と同様な排水脱水をする。最終脱水工程では洗濯物に残った水分を十分に脱水するので、すすぎ１工程の排水脱水よりも時間を長くする。
【００６４】
さて、前述した給水工程について、図７を引用して更に詳しく述べる。
【００６５】
槽回転給水では、洗濯槽６１を（１００〜１５０）ＲＰＭで回しながら給水する。この槽回転給水量は定格給水量の１／４程度である。すなわち、定格給水量の高さＨ２が４００ｍｍのときは、槽回転給水で供給される水の高さＨ１は１００ｍｍである。１００ｍｍの高さまで給水される間に洗剤投入室４０内の洗剤４４は全部が溶け出し、洗濯槽６１の洗濯物６６は高濃度洗剤に浸る。
【００６６】
この槽回転給水には、洗濯槽６１が脱水回転に比べてゆっくりした回転で回りながら高濃度洗剤が扇状の拡がりによる広範囲の散布のもとで行われる。これにより、洗濯槽６１内の洗濯物６６には高濃度洗剤が満遍なく振りかけられることになるので、洗濯物の洗い斑、すすぎ斑で洗濯物に残る洗剤成分、あるいは洗剤焼けをなくすることができる。
【００６７】
槽回転給水後に続く翼回転給水ではＨ２の定格給水量まで給水する間に攪拌翼６５の正逆転が繰り返される。高濃度洗剤が薄まるさなかに、攪拌翼６５で攪拌するので、洗剤が迅速に満偏なく溶け、洗い工程で汚れを斑無く落とす事ができる。また、この定格給水量まで給水する間に行なう攪拌翼６５の正逆転は、洗い工程の予備洗いにもなるので洗浄効果が高まる。
【符号の説明】
【００６８】
１…外枠
２…外枠ベース
３…トップカバー
４…蓋４
５…コントロールパネル
１０１…制御ユニット部
１０２…入力回路部
１０３…出力駆動回路部
１０５…ＣＰＵ（中央制御部）
１０６…タイマー
１０７…メモリー
１０８…入力ポート
１０９…出力ポート
１０５ａ…演算部
１０５ｂ…制御部
１０７…メモリー
１２１…電源スイッチ
１２２…水位センサー
１２３…ＩＣホール素子
１２４…蓋開閉センサー
１２５…全自動選択キー
１２６…マニアル設定キー
１２７…布量センサー
１３１…ＤＣブラシレスモータ
１３２…給水電磁弁
１３３…排水電磁弁
１３４…蓋ロックソレノイド
１３５…終了ブザー
３１…ケース収納枠部
３２…注水ケース
３３…給水部
３４…天板
３５…囲壁部
３７…導水筒
３８…整流体
４０…洗剤投入室
４１…仕上剤投入室
４２…仕切部
４８…洗剤流出口
４５…給水穴
４３…流止ピン
４４…洗剤
４６…サイホン機構
４９…前面パネル
４７…取っ手
５０…洗濯物出入口
５１…出入口
５２…口縁枠
５３…底部
５４…段部
５５…庇状の注水案内部
５６…隙間
５７…注水堰
５８…間隙
５９…切欠き溝
６１…洗濯槽６１
６３…バランスリング
６４…槽カバー
６５…攪拌翼
６６…洗濯物
【図１】
0005555616.tif 000002
【図２】
0005555616.tif 000003
【図３】
0005555616.tif 000004
【図４】
0005555616.tif 000005
【図５】
0005555616.tif 000006
【図６】
0005555616.tif 000007
【図７】
0005555616.tif 000008
【図８】
0005555616.tif 000009
【図９】
0005555616.tif 000010
【図１０】
0005555616.tif 000011